(57)【特許請求の範囲】
【請求項１】
合成樹脂を射出成形することによって製造される便器であって、便器本体の一方または両方の側面には上面および側面が開放されている物入れ凹部を形成したことを特徴とする合成樹脂製便器
【請求項２】
該物入れ凹部の上面開口部には蓋板が被着される請求項１に記載の合成樹脂製便器
【請求項３】
該物入れ凹部には蓋またはペーパーロールホルダーが取付けられる請求項１または２に記載の合成樹脂製便器
【発明の詳細な説明】
【０００１】
【発明の属する技術分野】
本発明は合成樹脂製便器に関するものである。
【０００２】
【従来の技術】
合成樹脂製便器は、合成樹脂を射出成形することによって製造されるが、両側面には物入れあるいはペーパーロール支持具が取付けられる。
従来、物入れあるいはペーパーロールホルダーを取付けるには、図１２に示すように便器本体(41)の両面に開口部(42)を設け、該開口部(42)に物入れ(43)あるいはペーパーロールホルダー(44)を取付ける。
【０００３】
【発明が解決しようとする課題】
上記従来の構成では、便器本体(41)の両側面に開口部(42)を設けるために、射出成形金型には中子を設けなければならず、金型構造が複雑になって金型製作費が高くなると云う問題点がある。
【０００４】
【課題を解決するための手段】
本発明は上記従来の課題を解決するための手段として、合成樹脂を射出成形することによって製造される便器(1)であって、便器本体(2)の一方または両方の側面には上面および側面が開放されている物入れ凹部(5)を形成した合成樹脂製便器(1)を提供するものである。該物入れ凹部(5)の上面開口部(51)には蓋板(33)が被着されることが望ましい。また該物入れ凹部(5)には蓋(12)またはペーパーロールホルダー(14)が取付けられることが望ましい。
【０００５】
【作用】
本発明の便器(1)の本体(2)には一方または両方の側面に上面および側面が開放されている物入れ凹部(5)が設けられる。該物入れ凹部(5)には脱臭剤や消毒液のビン等を収納するか、ペーパーロールホルダー(14)等を取付ける。該物入れ凹部(5)は上型(20)の物入れ凹部成形部(21)によって形成されるから、中子等を設ける必要はない。
【０００６】
【実施例】
本発明を図１〜図１１に示す一実施例によって説明すれば、合成樹脂製便器(1)は便器本体(2)と、該便器本体(2)の上面両側に着脱可能に取付けられているアームレスト(3)と、該便器本体(2)の上面後部に取つけられている背もたれ(4)とからなる。
該便器本体(2)の両方の側面には上面および側面が開放されている物入れ凹部(5)が設けられており、該物入れ凹部(5)は奥壁(5A)と周壁(5B)とによって画定され、上方および側方に開放され、かつ双方の物入れ凹部(5)の側面下部には覆い(5C)が設けられている。
一方アームレスト(3)は肘掛け部(31)と、該肘掛け部(31)の下面前後端部から垂設されている支柱(32)と、該支柱(32)根端を支持する基板(33)と、該基板(33)の下面前後端部から垂設されている取付け枠(34)とからなる。そして該便器本体(2)の上面両側において、該物入れ凹部(5)の上面開口部(51)の前後には該アームレスト(3)の基板(33)の嵌着凹部(6,7)および該アームレスト(3)の取付け枠(34)の取付け孔(8,9)が設けられており、更に該物入れ凹部(5)の両側面両端には蓋(12)またはペーパーロールホルダー(14)を取付けるための取付け凹部(10,10)が設けられており、該取付け凹部(10,10)の底面には軸受け凹部(11,11)が形成されている。
【０００７】
該物入れ凹部(5)の一方には図３に示すような蓋(12)が被着される。該蓋(12)は蓋本体(121)と、蓋本体(121)の上面両側から突設される取付けブラケット(122)と、該取付けブラケット(122)から外側に突設される大径軸(123)および小径軸(124)とからなり、図４に示すように該蓋(12)には両側の小径軸(124)を該物入れ凹部(5)の両側面の取付け凹部(10,10)の軸受け凹部(11,11)に懸架することによって、該物入れ凹部(5)に小径軸(124)を枢軸として取付けられ、図５に示すように該物入れ凹部(5)内に収納されている消臭剤や消毒液等のビン(13)の上半部を被覆する。
【０００８】
更に該物入れ凹部(5)の他方にはペーパーロールホルダー(14)が取付けられる。該ホルダー(14)は図６に示すように天板(141)と、該天板(141)の一方から垂設される支持枠(142)と、該支持枠(142)の下端から差出されるロール支持棒(143)と、該ロール支持棒(143)の端末に設けられている抜止め防止片(144)と、該天板(141)の両側に立設されている取付けブラケット(145.145)と、該取付けブラケット(145)から外側に差出されている軸棒(146)とからなり、図７に示すように該ホルダー(14)は両側の軸棒(146)を物入れ凹部(5)の両側面の取付け凹部(10,10)の軸受け凹部(11,11) に懸架することによって、該物入れ凹部(5)に軸棒(146)を枢軸として取付けられ、図８に示すように該ホルダー(14)のロール支持棒(143)にはペーパーロール(15)が支持される。
【０００９】
上記したように該便器本体(2)の物入れ凹部(5)に蓋(12)やペーパーロールホルダー(14)を取付けておいてから、アームレスト(3)の取付け枠(34)を該便器本体(2)の取付け孔(8,9)に嵌着すると共に基板(33)を該便器本体(2)の嵌着凹部(6,7)に嵌着する。そして固定棒(16)を便器本体(2)の側面に設けられている前後一対の貫通孔(17,17)を介して該取付け孔(8,9)に嵌着されているアームレスト(3)の取付け枠(34)の係合孔(35)に係合し、アームレスト(3)を固定する。
このようにしてアームレスト(3)が便器本体(2)の上面両側に取付けられるが、この状態で該アームレスト(3)の基板(33)は便器本体(2)の物入れ凹部(5)の上面開口部(51)の蓋板として機能する。
【００１０】
更に図９に示すように該アームレスト(3)の基板(33)の下面からは下端に軸押え凹部(37)を形成した軸押えブラケット(36)が垂設されており、該アームレスト(3)を便器本体(2)に取付けた状態で、該軸押えブラケット(36)の軸押え凹部(37)は蓋(12)の小径軸(124)あるいはホルダー(14)の軸棒(146)を上から押えつけて、該小径軸(124)あるいは該軸棒(146)を該物入れ凹部(5)の取付け凹部(10)の軸受け凹部(11)に固定する。
【００１１】
更に該便器(1)にあっては使用者が側方から便器(1)に移乗する場合には、その側のアームレスト(3)を取りはずす。この場合にはアームレスト(3)を取りはずした後に、図１０に示すように蓋板(18)を被着する。該蓋板(18)は本体(181)と、該本体(181)の下面前後端部から垂設されている取付け枠(182,182)とからなり、該取付け枠(182,182)にはアームレスト(3)と同様固定棒(16)を嵌着するための取付け孔(183,183)が設けられている。該蓋板(18)は取付け枠(182,182)を便器本体(2)の取付け孔(8,9)に嵌着し、固定棒(16)で固定する。
【００１２】
【発明の効果】
本発明の合成樹脂製便器(1) は、便器本体(2)の一方または両方の側面に上面および側面が開放されている物入れ凹部(5)を設けるので、図１１に示すように下型(19)と上型(20)とからなる射出成形金型(22)において、上型(20)に物入れ凹部(5)の成形部(21)を設けておけば、射出成形と同時に該物入れ凹部(5)が形成され、該射出成形金型(22)には中子等を設ける必要がなく、金型構造が極めて簡単になり、金型製作費が安くなる。
【図面の簡単な説明】
図１〜図１１は本発明の一実施例を示すものである。
【図１】全体斜視図
【図２】物入れ凹部部分分解斜視図
【図３】蓋の斜視図
【図４】蓋の取付け状態部分平面図
【図５】蓋の取付け状態部分斜視図
【図６】ペーパーロールホルダーの斜視図
【図７】ペーパーロールホルダーの取付け状態部分平面図
【図８】ペーパーロールホルダーの取付け状態部分斜視図
【図９】アームレスト基板の裏側斜視図
【図１０】蓋板取付け状態説明図
【図１１】成形状態説明図
【図１２】従来例の斜視図
【符号の説明】
１          合成樹脂便器
２          便器本体
５          物入れ凹部
１２        蓋
１４        ペーパーロールホルダー
３３        基板（蓋板）
５１        上面開口部
【図１】
0003729716.tif 000002
【図２】
0003729716.tif 000003
【図３】
0003729716.tif 000004
【図４】
0003729716.tif 000005
【図５】
0003729716.tif 000006
【図６】
0003729716.tif 000007
【図７】
0003729716.tif 000008
【図８】
0003729716.tif 000009
【図９】
0003729716.tif 000010
【図１０】
0003729716.tif 000011
【図１１】
0003729716.tif 000012
【図１２】
0003729716.tif 000013